(57)【特許請求の範囲】
【請求項１】
ディスク状記録媒体より得られる再生信号をＰＬＬ回路に供給し、前記ディスク状記録媒体に間欠的に記録されたプリコード信号を基準にして前記ＰＬＬ回路によりクロックを生成し、前記クロックを基準にして前記ディスク状記録媒体の位置情報を検出し、該検出結果に基づいて所望のデータを記録するディスク装置において、
前記ディスク状記録媒体より得られる再生信号の信号レベルを監視し、再生信号の信号レベルが立ち下がる期間を検出し、前記プリコード信号の再生信号を得ることができない無信号の期間の間、信号レベルが立ち上がる検出信号を出力する無信号検出回路と、
前記プリコード信号を検出し、該検出のタイミングを基準にして、規定の駆動信号を生成して出力するとともに、前記ディスク状記録媒体のユーザーエリアを記録及び消去している期間の間、信号レベルが立ち上がるタイミング信号を出力するタイミングジェネレータと、
前記検出信号と前記タイミング信号が供給されるオア回路と、
前記オア回路の出力信号によって制御され、前記ディスク状記録媒体より得られた再生信号と前記タイミングジェネレータにより生成された規定の駆動信号を選択し、前記オア回路の出力信号の信号レベルが立ち上がる期間の間、再生信号に代えて前記規定の駆動信号を前記ＰＬＬ回路に供給する選択回路を備えることを特徴とするディスク装置。
【発明の詳細な説明】
【０００１】
【産業上の利用分野】
本発明は、ディスク装置に関し、例えば光磁気ディスク装置において、再生クロックを正しく生成できない期間の間、この再生クロックを生成するＰＬＬ（Phase Locked Loop ）回路に規定の駆動信号を供給することにより、ＰＬＬ回路の動作を安定化し、引き込み時間を短縮する。
【０００２】
【従来の技術】
従来、光ディスク装置においては、光磁気ディスクに記録された位置情報を基準にして、規定のセクタ単位で所望のデータを記録再生するようになされている。
【０００３】
このためこの種の光磁気ディスクにおいては、各セクタの先頭に、セクタの開始位置を表すマーカー、ＰＬＬ回路の動作基準となる基準信号、各セクタの位置情報を表すアドレスデータが予めプリコーディングにより記録されて形成される。これに対して光ディスク装置は、この基準信号によりＰＬＬ回路をロックさせ、このＰＬＬ回路より得られる再生クロックを基準にして続くアドレスデータを再生し、これにより記録再生位置を確認するようになされている。
【０００４】
【発明が解決しようとする課題】
ところが従来の光ディスク装置では、未記録領域等をレーザービームが走査する期間の間、このＰＬＬ回路の動作が不安定になり、各セクタの先頭で基準信号が入力された際に、この基準信号に位相同期するまでの引き込み時間が長くなる問題があった。
【０００５】
すなわちこの種の光ディスク装置は、記録時、該当するセクタでこのようにして記録再生位置を確認した後、続くデータ記録領域に所望のデータを記録することになる。従ってＰＬＬ回路は、このデータを記録する際には、データ記録領域において、何ら基準となる再生信号が入力されない状態に保持されることになる。さらにデータ記録領域が未記録の場合、再生時であっても、ＰＬＬ回路においては、何ら基準となる再生信号が入力されない状態に保持されることになる。
【０００６】
これに対してこの種のＰＬＬ回路は、再生信号とクロックとを位相比較し、この位相比較結果を誤差電圧としてクロック生成用の電圧制御型発振回路に帰還することにより、何ら基準となる再生信号が入力されなくなると、この電圧制御型発振回路がいわゆるフリーランの状態に保持されることになる。すなわちこれらの期間の間、ＰＬＬ回路は、電圧制御型発振回路より出力されるクロックの周波数が自走周波数に変位することになり、再び再生信号が入力されると正しい周波数に復帰することになる。
【０００７】
光ディスク装置において、このＰＬＬ回路は、光磁気ディスクの偏心、スピンドルモータのジッター等を充分に補い得るように、引込範囲、保持範囲が大きく設定されおり、これに対応してこの種の電圧制御型発振回路の周波数可変範囲も比較的大きな範囲に設定されている。従ってこのように電圧制御型発振回路がいわゆるフリーランに保持された状態でノイズ等が混入すると、このノイズによりクロック周波数が大きく変動する。
【０００８】
実際上、未記録領域等においては、ランダムにノイズが発生し、ＰＬＬ回路は、フリーランの状態に保持されている期間の間、このランダムなノイズに応答して動作が不安定になり、発振周波数が大きく変動することになる。従ってその分、再び再生信号が入力されて正しい周波数に復帰するまでの引き込み時間が長くなる。特に、この種の光磁気ディスクでは、基準信号等のプリコーディングされた領域が全体の１〔％〕程度と小さく、このため光ディスク装置では、ＰＬＬ回路に動作基準となる再生信号が入力されない期間が長く、しかもこの期間がランダムに発生する欠点がある。従ってその分、ノイズ等の影響によるＰＬＬ回路の周波数変動が大きい欠点がある。
【０００９】
このようにして引き込み時間が長くなると、光磁気ディスクでは、その分基準信号の記録領域を大きくすることが必要になり、記録密度が低下することになる。
【００１０】
本発明は以上の点を考慮してなされたもので、この種のＰＬＬ回路の動作を安定に保持し、引き込み時間を短縮することができるディスク装置を提案しようとするものである。
【００１１】
【課題を解決するための手段】
かかる課題を解決するため、本発明は、ディスク状記録媒体より得られる再生信号をＰＬＬ回路に供給し、前記ディスク状記録媒体に間欠的に記録されたプリコード信号を基準にして前記ＰＬＬ回路によりクロックを生成し、前記クロックを基準にして前記ディスク状記録媒体の位置情報を検出し、該検出結果に基づいて所望のデータを記録するディスク装置において、前記ディスク状記録媒体より得られる再生信号の信号レベルを監視し、再生信号の信号レベルが立ち下がる期間を検出し、前記プリコード信号の再生信号を得ることができない無信号の期間の間、信号レベルが立ち上がる検出信号を出力する無信号検出回路と、前記プリコード信号を検出し、該検出のタイミングを基準にして、規定の駆動信号を生成して出力するとともに、前記ディスク状記録媒体のユーザーエリアを記録及び消去している期間の間、信号レベルが立ち上がるタイミング信号を出力するタイミングジェネレータと、前記検出信号と前記タイミング信号が供給されるオア回路と、前記オア回路の出力信号によって制御され、前記ディスク状記録媒体より得られた再生信号と前記タイミングジェネレータにより生成された規定の駆動信号を選択し、前記オア回路の出力信号の信号レベルが立ち上がる期間の間、再生信号に代えて前記規定の駆動信号を前記ＰＬＬ回路に供給する選択回路を備えることを特徴とする。
【００１４】
【作用】
本発明では、ディスク状記録媒体よりプリコード信号の再生信号を得ることができない無信号の期間の間、信号レベルが立ち上がる検出信号と、前記ディスク状記録媒体のユーザーエリアを記録及び消去している期間の間、信号レベルが立ち上がるタイミング信号が供給されるオア回路の出力信号によって選択回路を制御して、前記ディスク状記録媒体より得られた再生信号と前記タイミングジェネレータにより前記プリコード信号の検出のタイミングを基準にして生成された規定の駆動信号を選択し、前記オア回路の出力信号の信号レベルが立ち上がる期間の間、再生信号に代えて前記規定の駆動信号をＰＬＬ回路に供給するので、ＰＬＬ回路の動作を安定に保持し、クロックの変動を有効に回避できる。従って続くプリコード信号が入力されると短い時間でロックすることができる。また、この種のプリコーディングにより記録されたプリコード信号の記録領域と続くデータの記録領域の間に形成されたギャップについても、またデータ書き込み時においては、このデータを書き込んでいる期間の間、ＰＬＬ回路の動作を安定に保持し、クロックの変動を有効に回避できる。
【００１６】
さらに、再生信号の信号レベルを監視し、該監視結果に基づいて先の無信号の期間の間、再生信号に代えて先の駆動信号をＰＬＬ回路に供給することにより、何らデータが記録されていない未記録領域について、ＰＬＬ回路の動作を安定に保持し、クロックの変動を有効に回避できる。
【００１７】
【実施例】
以下、適宜図面を参照しながら本発明の実施例を詳述する。
【００１８】
（１）実施例の構成
図２は、本発明の一実施例に係る光ディスク装置を示すブロック図である。この光ディスク装置１は、マルチゾーンの光磁気ディスク２に画像データを記録し、またこの光磁気ディスク２に記録された画像データを再生して出力する。なおこの実施例において、光ディスク装置１は、４つの光学ブロック３〜６を有し、これに対応する４系統の処理系を有しているが、説明の簡略化のため１系統についてのみ説明する。
【００１９】
すなわち光ディスク装置１は、ＳＣＳＩコントローラ７を介してＳＣＳＩ（Small computer Sysytem Interface）により外部機器と接続され、この外部機器より入力される制御コマンドに応動して動作を切り換える。ＳＣＳＩコントローラ７は、この外部機器より入力される制御コマンドを内部バスＢＵＳに出力すると共に、この内部バスＢＵＳより入力される応答のコマンドを外部機器に出力する。またＳＣＳＩコントローラ７は、記録時、この外部機器より入力される画像データを誤り訂正回路８に出力し、再生時、誤り訂正回路８より入力される画像データを外部機器に出力する。
【００２０】
誤り訂正回路８は、記録時、このＳＣＳＩコントローラ７より入力される画像データに誤り訂正符号等を付加して規定のデータ構造に変換した後、１−７符号化処理して符号化データを生成し、この符号化データをＲＦ回路９に出力する。これに対して再生時、誤り訂正回路８は、このＲＦ回路９より入力される符号化データを記録時とは逆に元のデータ構造に変換した後、誤り訂正処理等の規定のデータ処理を実行し、これにより光磁気ディスク２に記録された画像データを再生してＳＣＳＩコントローラ７に出力する。
【００２１】
ＲＦ回路９は、対応する光学ブロック３〜６より得られる戻り光の受光結果をレーザーパワーコントロール回路１０に出力すると共に、この戻り光より光磁気ディスク２に予めプリフォーマットして記録されたセクターマーク等を検出し、記録、再生のタイミングを検出する。さらにＲＦ回路９は、記録時、誤り訂正回路８より入力される符号化データをＮＲＺＩ（Non Return to Zero Inverted ）変調して変調信号を生成し、セクターマーク等により検出したタイミングを基準にして、この変調信号をレーザーパワーコントロール回路１０に出力する。
【００２２】
また再生時、ＲＦ回路９は、対応する光学ブロック３〜６より得られる再生信号ＲＦを入力し、この再生信号ＲＦをＮＲＺＩ復調して再生データを生成し、この再生データを誤り訂正回路８に出力する。
【００２３】
レーザーパワーコントロール回路１０は、ＲＦ回路９より入力される戻り光の受光結果に基づいて光学ブロック３より光磁気ディスク２に照射されるレーザービームＬの光量を規定の光量に保持する。さらにレーザーパワーコントロール回路１０は、書き込み時、ＨＦ重畳回路１３を介してＲＦ回路９より入力される変調信号に応じて、レーザービームＬの光量を再生時の光量より書き込み時の光量に間欠的に立ち上げる。
【００２４】
光学ブロック３（４〜６）は、シャーシーに対して固定された固定部３Ａと、光磁気ディスク２の半径方向に可動する可動部３Ｂとで形成されている。このうち固定部３Ａは、レーザービームを射出するレーザーダイオード１２を有し、記録時、ＨＦ重畳回路１３でレーザーダイオード１２の駆動信号に高周波信号を重畳することにより、レーザービームＬの光量を再生時の光量より書き込み時の光量に間欠的に立ち上げる。
【００２５】
さらに固定部３Ａは、レーザーダイオード１２より射出されたレーザービームＬを、プリズム１４を透過して光磁気ディスク２の回転中心軸に向かって射出することにより、この射出光の光軸上に配置された可動部３ＢにレーザービームＬを供給する。さらに固定部３Ａは、可動部３Ｂより得られるレーザービームＬの戻り光をプリズム１４にて反射した後、プリズム１５により光路を折り曲げ、規定の受光素子１６で受光する。
【００２６】
この受光素子１６は、この戻り光よりトラッキングエラー信号、再生信号等を形成できるように受光面が形成され、各受光面の受光結果をそれぞれプリアンプ１７に出力する。固定部３Ａは、このプリアンプ１７において、受光素子１６の各出力信号を電流電圧変換処理した後、加減算処理し、規定の増幅率で増幅して出力する。これにより固定部３Ａは、可動部３Ｂに対してレーザービームＬを供給すると共に、可動部３Ｂより得られる戻り光を受光して再生信号ＲＦ、トラッキングエラー信号、フォーカスエラー信号等を生成するようになされている。
【００２７】
これに対して可動部３Ｂは、ラジアルサーボ回路１９により駆動されて、規定の退避位置より光磁気ディスク２の半径方向に可動するように形成され、固定部３Ａより供給されるレーザービームＬの光路をプリズム２０にて折り曲げた後、対物レンズ２１により光磁気ディスク２の情報記録面に集光する。また可動部３Ｂは、情報記録面より得られるレーザービームＬの戻り光を対物レンズ２１により集光した後、プリズム２０にて折り曲げて固定部３Ａに射出する。
【００２８】
かくするにつき光ディスク装置１では、記録時、このレーザービームＬの光量が間欠的に立ち上げられると共に、このレーザービームの照射位置に規定の磁界が印加され、これにより熱磁気記録の手法を適用して所望のデータを記録できるように形成されている。また光ディスク装置１では、再生時、戻り光の偏波面の変化に応じて信号レベルが変化する再生信号ＲＦを固定部３Ａより得ることができるように形成され、これによりカー効果を利用して記録したデータを再生できるようになされている。これにより可動部３Ｂは、固定部３Ａと共に、光磁気ディスク２をアクセスして再生信号ＲＦを出力するピックアップを形成するようになされている。
【００２９】
この可動部３Ｂにおいて、対物レンズ２１は、駆動信号により上下左右に可動するように形成されている。トラッキングサーボ回路２４は、システムコントロール回路２５により制御されて動作を立ち上げ、トラッキングエラー信号に基づいてこの対物レンズ２１を左右に可動し、これにより光学ブロック３をトラッキング制御する。
【００３０】
またフォーカスサーボ回路２６は、同様にシステムコントロール回路２５により制御されて動作を立ち上げ、フォーカスエラー信号に基づいて対物レンズ２１を上下に可動し、これにより光学ブロック３をフォーカス制御する。
【００３１】
かくするつきこの実施例において、トラッキングサーボ回路２４及びフォーカスサーボ回路２６は、４つの光学ブロック３〜６に対応して４系統設けられ、また誤り訂正回路８及びレーザーパワーコントロール回路１０についても４つの光学ブロック３〜６に対応して、４系統設けられるようになされている。
【００３２】
ディスクサーボ回路２７は、スピンドルモータ２８を回転駆動し、これによりこのスピンドルモータ２８の回転軸にチャッキングされた光磁気ディスク２を角速度一定の条件で回転駆動する。
【００３３】
（１─１）光磁気ディスクの構成
ここで図３に示すように光磁気ディスク２は、プリコーディングにより、情報記録面が同心円状に分割され、内周側の領域ＡＲ１と外周側の領域ＡＲ２とで光磁気ディスク２の半径方向の長さがほぼ等しい値になるように設定されている。さらに光磁気ディスク２は、各領域ＡＲ１及びＡＲ２をそれぞれ放射状に等分割して４２個のセクタが形成され、内周側の領域ＡＲ１と外周側の領域ＡＲ２とで、各セクタが規定の角度αだけ円周方向にずれて形成されるようになされている。
【００３４】
光磁気ディスク２において、この内周側の領域ＡＲ１及び外周側の領域ＡＲ２のセクタは、図４に示すように規定されている。これにより光磁気ディスク２は、角速度一定の条件で回転駆動した際に、外周側の領域ＡＲ２で増大する線速度の分、記録に供するデータ転送速度を外周側で増大し、内周側及び外周側の領域ＡＲ１及びＡＲ２で線記録密度をほぼ等しい値に設定するようになされている。これにより光磁気ディスク２では、記録密度を向上するようになされている。
【００３５】
ここで各セクタは、予めプリコーディングにより形成された５５バイトのアドレス部が先頭に形成され、残りの領域がユーザーエリアに割り当てられ、このユーザーエリアに規定フォーマットのデータを記録するように形成されている。
【００３６】
このアドレス部は、先頭部分及び終了部分に、それぞれセクターマーク（ＳＭ）及びポストアンブル（ＰＡ）が記録され、セクターマーク（ＳＭ）によりセクタの開始位置でなるアドレス部の開始位置を表し、ポストアンブル（ＰＡ）によりアドレス部の終了端を表すようになされている。
【００３７】
さらにこのアドレス部は、残りの領域に、基準信号（ＶＦＯ１、ＶＦＯ２、ＶＦＯ３）、アンドスマーク（ＡＭ１、ＡＭ２、ＡＭ３）、ＩＤ信号（ＩＤ１、ＩＤ２、ＩＤ３）が順次循環的に３回繰り返し記録され、これにより信頼性を確保できるようになされている。ここでアンドスマークは、ＩＤ信号の記録開始位置を表し、基準信号は、規定周波数のバースト信号が割り当てられ、この基準信号よりＰＬＬ回路で再生クロックを生成できるようになされている。
【００３８】
これに対してＩＤ信号は、トラック番号及びセクタ番号のデータに誤り訂正符号（ＣＲＣ）、００ｈのデータを付加した後、１−７変調し、さらにＮＲＺＩ変調して記録されるようになされ、光磁気ディスク２では、このＩＤ信号により記録再生位置を表すアドレスを検出できるようになされている。
【００３９】
かくして光ディスク装置１では、セクターマークＳＭに基づいてセクタの開始位置を検出し、基準信号ＶＦＯ１、ＶＦＯ２、ＶＦＯ３より生成される再生クロックＣＫ１を基準にしてＩＤ信号より記録再生位置を確認し、続くユーザーエリアに所望のデータを記録再生することになる。
【００４０】
ユーザーエリアは、試し書き領域（ＡＬＰＣ）に続いて、基準信号の記録領域（ＶＦＯ４）、データの記録領域（ＤＡＴＡ−ＡＲＥＡ）、バッファの領域（ＢＵＦＦＥＲ）が形成され、試し書き領域を用いて書き込み時の光量を調整できるように形成され、また基準信号の記録領域にデータクロックを記録するように形成され、バッファの領域は、ブランクの領域として保持されるようになされている。
【００４１】
データの記録領域は、規定の同期パターンを記録する同期パターンの領域（ＳＹＮＣ）に続いて、規定バイトのデータを誤り訂正符号と共に記録する記録領域（ＤＡＴＡ）とリシンクの領域（ＲＥＳＹＮＣ）とが交互に形成され、最後にダミーバイト００ｈの記録領域が形成されるようになされている。
【００４２】
かくするにつき内周側の記録領域ＡＲ１と外周側の記録領域ＡＲ２とで、線記録密度をほぼ等しく設定したことにより、この光磁気ディスク２では、内周側との記録領域ＡＲ１と外周側の記録領域ＡＲ２とで、このデータの記録領域にそれぞれ２０２６バイト及び２９７８バイトのデータを記録できるように形成されている。
【００４３】
（１−２）信号処理系の詳細
図１は、ＲＦ回路９とその周辺回路を示すブロック図である。この光ディスク装置１において、ＰＬＬ回路３０は、ＲＦ回路９に内蔵の選択回路３１を介して、プリアンプ１７より出力される再生信号ＲＦを入力し、この再生信号ＲＦを位相比較回路３２に入力する。位相比較回路３２は、電圧制御型発振回路（ＶＣＯ）３３より出力される再生クロックＣＫ１と、この選択回路３１を介して入力される入力信号とを位相比較し、その位相比較結果を出力する。
【００４４】
電圧制御型発振回路３３は、規定のローパスフィルタを介して、この位相比較結果を誤差電圧として入力し、この誤差電圧が０レベルになるように再生クロックＣＫ１の周波数を可変する。これによりＰＬＬ回路３０は、アドレス部においては基準信号（ＶＦＯ１〜ＶＦＯ３）に位相同期するように、さらにはＩＤ信号に含まれるクロック成分に位相同期するように（以下このアドレス部にプリコーディングされた信号をプリコード信号と呼ぶ）、再生クロックＣＫ１を生成し、また続くユーザーエリアでは、基準信号（ＶＦＯ４）に位相同期するように、さらにはデータの記録領域（ＤＡＴＡ−ＡＲＥＡ）に記録された画像データのクロック成分に位相同期するように、再生クロックＣＫ１を生成するように形成されている。
【００４５】
これに対して発振回路３４は、水晶発振回路で形成され、この水晶発振回路の出力信号を分周することにより、再生クロックＣＫ１と周波数の等しいデータクロックＣＫ２を生成して出力し、光ディスク装置１では、再生クロックＣＫ１を基準にして再生系を駆動するのに対し、このデータクロックＣＫ２を基準にして記録系を駆動するようになされている。
【００４６】
すなわちＲＦ回路９において、再生信号処理回路３５は、再生信号ＲＦを２値化した後、再生クロックＣＫ１を基準にして順次ラッチし、これにより再生信号ＲＦをシリアルデータに変換する。さらにＲＦ回路９は、再生クロックＣＫ１を基準にして、このシリアルデータをＮＲＺＩ復調し、その結果得られる再生データを誤り訂正回路８に出力する。このとき再生信号処理回路３５は、再生信号ＲＦよりセクターマークＳＭを検出し、これによりレーザービームが各セクタの走査を開始するタイミングを検出し、このタイミング検出結果を出力する。
【００４７】
アドレス検出回路３６は、このタイミング検出結果を基準にして、ＲＦ回路９より出力される再生データを処理することにより、各セクタのアドレスデータＡＤ１を検出し、このアドレスデータＡＤ１をシステムコントロール回路２５、タイミングジェネレータ（ＴＧ）３７に出力する。
【００４８】
これに対してＲＦ回路９において、記録データ処理回路３９は、発振回路３４より出力されるクロックＣＫ２を基準にして、誤り訂正回路８より出力される符号化データをＮＲＺＩ変調し、その結果得られる変調信号をタイミングジェネレータ３７より出力されるタイミング信号を基準にしてレーザーパワーコントロール回路１０に出力する。
【００４９】
これにより光ディスク装置１では、再生モードにおいては、各セクタのアドレス部と記録済みのユーザーエリアをレーザービームが走査する期間の間、それぞれプリコード信号と画像データ等のクロック成分とに同期した再生クロックＣＫ１により再生データを生成し、この再生データより検出されるアドレスデータＡＤ１を基準にして所望のセクタより画像データを再生するようになされている。これに対して記録モードにおいては、この再生クロックＣＫ１で再生データを処理してアドレスデータＡＤ１を検出することにより、記録目的のセクタを検出し、発振回路３４より出力されるデータクロックＣＫ２を基準にしてこのセクタのユーザーエリアに所望の画像データを記録するようになされている。
【００５０】
図５に示すように、無信号検出回路４０は、この再生信号処理回路３５にて処理する再生信号ＲＦ（図５（Ａ））の信号レベルをモニタし、この再生信号ＲＦの信号レベルが立ち下がる期間の間、信号レベルが立ち上がる信号レベル検出結果Ｓ１（図５（Ｂ））を出力する。これにより無信号検出回路４０は、再生信号ＲＦにＰＬＬ回路３０の動作基準の信号が含まれていない無信号の期間を検出するようになされている。
【００５１】
選択回路３１は、オア回路４２を介してこの信号レベル検出結果Ｓ１を受け、この信号レベル検出結果Ｓ１の信号レベルが立ち上がる期間の間、再生信号ＲＦに代えてデータクロックＣＫ２をＰＬＬ回路３０に出力する。これにより選択回路３１は、再生信号ＲＦにＰＬＬ回路３０の動作基準の信号が含まれていない無信号の期間の間、この再生信号ＲＦに代えてデータクロックＣＫ２をＰＬＬ回路３０に供給する（図３（Ｃ））。
【００５２】
これによりＰＬＬ回路３０においては、データクロックＣＫ２に位相同期するようにフィードバックループを形成して動作し、ループゲインの分だけ安定度を向上することができる。従って動作を安定化することができ、また再生信号ＲＦのノイズ成分により発振周波数の変動を有効に回避することができる。また温度雑音による周波数変動も有効に回避することができる。従ってＰＬＬ回路３０においては、その分続くセクタの基準信号ＶＦＯ１に、またユーザーエリアの基準信号ＶＦＯ４に速やかに位相同期することができ、光磁気ディスク２においては、その分この種の基準信号の記録領域を低減して記録密度を向上することができる。
【００５３】
ところでユーザーエリアに画像データを記録し、また記録された画像データを消去する場合も、再生信号ＲＦにはＰＬＬ回路３０の動作基準の信号が含まれていないことになる。ところがこれら場合、再生信号ＲＦにおいては、書き込み、消去用の記録信号が光学系を介して混入することにより、無信号検出回路４０によってはこの期間を検出することが困難になる恐れがある。
【００５４】
このためこの実施例においては、タイミングジェネレータ３７により出力されるタイミング信号を基準にして選択回路３１の接点を切り換えることにより、これらの期間の間、再生信号ＲＦに代えてデータクロックＣＫ２を供給する。
【００５５】
すなわちタイミングジェネレータ３７は、システムコントロール回路２５より出力されるモード設定信号Ｒ／Ｗに応動して記録モードに切り換わり、この記録モードにおいて、アドレス検出回路３６より出力されるアドレスデータＡＤ１とシステムコントロール回路２５より出力されるアドレスデータＡＤ２との比較結果を得ることにより、記録消去目的とするセクタを検出する。
【００５６】
さらにタイミングジェネレータ３７は、再生信号処理回路３５より出力されるセクターマークＳＭのタイミング検出結果を基準にして発振回路３４より出力されるクロックＣＫ２をカウントし、これにより図６に示すように、この書き込み消去目的とするセクタのユーザーエリアをレーザービームが走査する期間の間、信号レベルが立ち上がるタイミング信号Ｓ２（図６（Ｂ））を記録データ処理回路３９に出力する。これにより記録データ処理回路３９は、このタイミング信号Ｓ２を基準にして記録目的のユーザーエリアで記録信号を出力す。
【００５７】
さらにタイミングジェネレータ３７は、このタイミング信号Ｓ２をオア回路４２に出力し、これによりユーザーエリアを記録消去している期間の間、再生信号ＲＦに代えてデータクロックＣＫ２をＰＬＬ回路３０に供給する（図６（Ａ）及び（Ｃ））。
【００５８】
これによりＰＬＬ回路３０においては、これらの記録消去時においても、動作を安定化して発振周波数の変動を有効に回避することができ、続くセクタの基準信号ＶＦＯ１に速やかに位相同期することができる。
【００５９】
システムコントロール回路２５は、規定の処理手順を実行することによりこの光ディスク装置１全体の動作を制御するマイクロコンピュータで形成され、外部機器より入力される制御コマンド等に応動して、全体の動作を制御する。すなわちシステムコントロール回路２５は、アドレス検出回路３６より出力されるアドレスデータＡＤ１を基準にしてラジアルサーボ回路１９等を駆動することにより、所望のセクタに光学ブロック３〜６をシークさせ、これらのセクタに順次入力される画像データを記録し、またこれらのセクタより画像データを再生して出力する。
【００６０】
これらの処理においてシステムコントロール回路２５は、タイミングジェネレータ３７に上述したモード設定信号Ｒ／Ｗを出力すると共に、誤り訂正回路８、ＲＦ回路９等に同様のモード設定信号を出力し、これにより全体の動作を制御する。さらにシステムコントロール回路２５は、外部機器より調整モードに設定されると、オア回路４２に切り換え信号Ｓ３を出力し、これによりＰＬＬ回路３０の入力信号を強制的にデータクロックＣＫ２に切り換える。
【００６１】
これにより光ディスク装置１では、必要に応じて発振回路３４の発振周波数を調整、確認できるように形成され、またＰＬＬ回路９等の動作を確認できるようになされている。
【００６２】
（２）実施例の動作
以上の構成において各光学ブロック３〜６より射出されたレーザービームＬ（図２）は、光磁気ディスク２の情報記録面に集光され、その戻り光がそれぞれ光学ブロック３〜６の受光系により受光され、戻り光の偏波面の変化に応じて信号レベルが変化する再生信号ＲＦが生成される。
【００６３】
この再生信号ＲＦは、プリアンプ１７にて規定の利得で増幅された後、ＲＦ回路９に入力され、このＲＦ回路９の再生信号処理回路３５（図１）において、各セクタの先頭にプリコーディングにより記録されたセクターマークＳＭが検出され、これによりレーザービームが各セクタの走査を開始するタイミングが検出される。
【００６４】
さらにこの再生信号ＲＦは、続いて２値化された後、ＰＬＬ回路３０より出力される再生クロックＣＫ１を基準にしてラッチされ、シリアルデータに変換され、このシリアルデータがＮＲＺＩ復調されて再生データに変換される。この再生データは、続くアドレス検出回路３６において、再生信号処理回路３５（図２）において検出されたセクターマークＳＭのタイミングを基準にしてＩＤ信号が検出され、このＩＤ信号よりレーザービーム照射位置の各セクタのアドレスデータＡＤ１が検出される。
【００６５】
これにより再生データは、続く誤り訂正回路８により復号化された後、誤り訂正処理されて画像データに変換され、アドレスデータＡＤ１を基準にしてこれらの画像データの中から外部機器により指定された画像データが外部機器に送出される。
【００６６】
この処理において再生信号ＲＦは、無信号検出回路４０において、信号レベルが検出され、これにより再生信号ＲＦにＰＬＬ回路３０の動作基準の信号が含まれていない無信号の期間が検出される。
【００６７】
この検出結果Ｓ１は、オア回路４２を介して選択回路３１に供給され、これによりこの無信号検出回路４０の検出結果に応じてＰＬＬ回路３０の入力信号が再生信号ＲＦとデータクロックＣＫ２との間で切り換えられる。すなわち再生信号ＲＦは、再生モードにおいて、再生信号ＲＦにＰＬＬ回路３０の動作基準の信号が含まれている期間の間、すなわちレーザービームＬがアドレス部を走査してプリコード信号が得られる期間の間、及びレーザービームＬが記録済みのユーザーエリアを走査している期間の間、選択回路３１を介してＰＬＬ回路３０に入力される。
【００６８】
これによりこれらの期間の間、この再生信号ＲＦは、電圧制御型発振回路３３より出力される再生クロックＣＫ１と位相比較され、その位相比較結果が電圧制御型発振回路３３に誤差電圧として供給され、プリコード信号に位相同期した再生クロックが生成される。
【００６９】
これによりこの再生クロックＣＫ１が再生信号処理回路３５、誤り訂正回路８において、動作基準のクロックとして使用され、光磁気ディスク２に記録された画像データを再生することができる。
【００７０】
これに対して再生信号ＲＦにＰＬＬ回路３０の動作基準の信号が含まれていない期間の間、ＰＬＬ回路３０には、データクロックＣＫ２が供給されることにより、このデータクロックＣＫ２を動作基準にして安定に動作し、ノイズによる周波数の変動が有効に回避される。
【００７１】
これに対して記録時及び消去時、アドレス検出回路３６により検出されたアドレスデータＡＤ１とシステムコントロール回路２５より出力されるアドレスデータＡＤ２とがタイミングジェネレータ３７により比較されることにより、このタイミングジェネレータ３７で記録目的、消去目的のセクタが検出される。さらに再生信号処理回路３５により検出されたセクターマークＳＭのタイミングを基準にして、タイミングジェネレータ３７で記録目的、消去目的のセクタのユーザーエリアにおいて信号レベルが立ち上がるタイミング信号Ｓ２が生成される。
【００７２】
このうち記録時において、外部機器より入力される画像データは、クロックＣＫ２により動作する誤り訂正回路８により誤り訂正符号が付加された後、符号化処理され、その結果得られる符号化データが記録データ処理回路３９により記録信号に変換され、このタイミング信号Ｓ２を基準にしてレーザーパワーコントロール回路１０に出力される。これにより未記録のユーザーエリアにおいて、レーザービームＬの光量が画像データに応じて間欠的に立ち上がり、これらの領域に画像データが記録される。
【００７３】
また消去時においては、タイミング信号Ｓ２を基準にして、記録済みのユーザーエリアにおいて、規定の書き込み光量によりレーザービームＬが照射され、このユーザーエリアに記録された画像データが消去される。
【００７４】
この記録消去時、このタイミング信号Ｓ２がオア回路４２を介して信号レベル検出結果Ｓ１と共に選択回路３１に供給され、これによりＰＬＬ回路３０の入力信号が再生信号ＲＦとデータクロックＣＫ２との間で切り換えられ、再生信号ＲＦの信号レベルが立ち上がっている場合でも、レーザービームが消去対象、記録対象のユーザーエリアを走査している期間の間、すなわち光学系を介して混入する記録信号により再生信号ＲＦの信号レベルが立ち上がっている期間の間についても、再生信号ＲＦに代えてデータクロックＣＫ２がＰＬＬ回路３０に供給される。
【００７５】
これによりセクタ間のギャップ、アドレス部とユーザーエリアとの間のギャップに加えて、レーザービームが消去対象、記録対象のユーザーエリアを走査している期間の間、ＰＬＬ回路３０にデータクロックＣＫ２が供給され、ＰＬＬ回路３０は、これらの期間の間安定に動作し、ノイズによる周波数の変動が有効に回避される。
【００７６】
これに対して調整モードに設定されると、システムコントロール回路２５より出力される切り換え信号Ｓ３がオア回路４２を介して選択回路３１に供給され、ＰＬＬ回路３０に強制的にデータクロックＣＫ２が供給され、これにより各種動作がチェック調整される。
【００７７】
（３）実施例の効果
以上の構成によれば、再生信号ＲＦにＰＬＬ回路３０の動作基準の信号が含まれていない期間の間、また記録消去時においては、これに加えて書き込み対象及び消去対象のユーザーエリアをレーザービームが走査している期間の間、再生信号ＲＦに代えて記録系の動作基準でなるデータクロックＣＫ２を供給することにより、これらの期間においてＰＬＬ回路３０の動作を安定化することができ、周波数変動を低減することができる。従って続くプリコード信号による引き込み時間を短縮することができ、その分基準信号の記録領域を小さく設定して光磁気ディスク２の記録密度を向上することができる。
【００７８】
（４）他の実施例
なお上述の実施例においては、セクターマーク検出のタイミングを基準にして消去対象、記録対象のユーザーエリアをレーザービームが走査する期間を検出する場合について述べたが、本発明はこれに限らず、例えばプリアンブル等を基準にして消去対象、記録対象のユーザーエリアをレーザービームが走査する期間を検出してもよい。
【００７９】
また上述の実施例においては、情報記録面を内周側及び外周側の２領域に分割する場合について述べたが、本発明はこれに限らず、必要に応じて種々の分割数により分割する場合、さらにはこのように情報記録面を分割しない場合に広く適用することができる。
【００８０】
さらに上述の実施例においては、角速度一定の条件により光磁気ディスクを回転駆動する場合について述べたが、本発明はこれに限らず、線速度一定の条件により光磁気ディスクを回転駆動する場合にも広く適用することができる。
【００８１】
さらに上述の実施例においては、画像データを記録再生する場合について述べたが、本発明はこれに限らず、種々のデータを記録再生する光ディスク装置、さらには記録専用の光ディスク装置に広く適用することができる。
【００８２】
さらに上述の実施例においては、再生信号ＲＦに代えて記録係の動作基準でなるデータクロックＣＫ２を供給する場合について述べたが、本発明はこれに限らず、専用の基準信号を供給する場合等広く適用することができる。
【００８３】
また上述の実施例においては、光磁気ディスクに画像データを記録再生する光ディスク装置に本発明を適用する場合について述べたが、本発明はこれに限らず、ライトワンス型の光ディスク装置、さらには光ディスク装置に限らず、磁気記録再生装置等、種々のディスク状記録媒体に所望のデータを記録するディスク装置に広く適用することができる。
【００８４】
【発明の効果】
上述のように本発明によれば、再生クロックを正しく生成できない期間の間、この再生クロックを生成するＰＬＬ回路に規定の駆動信号を供給することにより、ＰＬＬ回路の動作を安定化し、引き込み時間を短縮することができる。
【図面の簡単な説明】
【図１】本発明の一実施例による光ディスク装置の信号処理系を示すブロック図である。
【図２】図１の光ディスク装置の全体構成を示すブロック図である。
【図３】図２の光ディスク装置に適用される光磁気ディスクを示す正面図である。
【図４】図２の光ディスク装置に適用される光磁気ディスクのセクタのフォーマットを示す図表である。
【図５】再生時におけるＰＬＬ回路の動作の説明に供する信号波形図である。
【図６】記録消去時におけるＰＬＬ回路の動作の説明に供する信号波形図である。
【符号の説明】
１                          光ディスク装置
２                          光磁気ディスク
３〜６                      光学ブロック
９                          ＲＦ回路
２５                        システムコントロール回路
３０                        ＰＬＬ回路
３１                        選択回路
３３                        アドレス検出回路
３７                        タイミングジェネレータ
４２                        オア回路
【図１】
0004001944.tif 000002
【図２】
0004001944.tif 000003
【図３】
0004001944.tif 000004
【図４】
0004001944.tif 000005
【図５】
0004001944.tif 000006
【図６】
0004001944.tif 000007